(57)【要約】【課題】ユーザが所望の集約パターンで集約コピーできるようにする。【解決手段】複数の原稿画像をそれぞれ集約原稿画像として記録紙に集約して印刷する画像形成装置において、原稿画像を取得する原稿画像取得手段と、集約原稿画像毎に集約に関する設定を行うことにより、記録紙に対する該集約原稿画像の集約パターンを決定する集約パターン決定手段と、集約パターン決定手段により決定された集約パターンに基づいて、原稿画像取得手段により取得された原稿画像から該集約パターンに対応する集約原稿画像を生成する集約原稿画像生成手段と、集約原稿画像生成手段により生成された集約原稿画像を記録紙に前記集約パターンで印刷する印刷手段とを備える。【選択図】図３
2008109613.tif 000002
【特許請求の範囲】
【請求項１】
複数の原稿画像をそれぞれ集約原稿画像として記録紙に集約して印刷する画像形成装置であって、
前記原稿画像を取得する原稿画像取得手段と、
前記集約原稿画像毎に前記集約に関する設定を行うことにより、前記記録紙に対する該集約原稿画像の集約パターンを決定する集約パターン決定手段と、
前記集約パターン決定手段により決定された集約パターンに基づいて、前記原稿画像取得手段により取得された原稿画像から該集約パターンに対応する前記集約原稿画像を生成する集約原稿画像生成手段と、
前記集約原稿画像生成手段により生成された集約原稿画像を前記記録紙に前記集約パターンで印刷する印刷手段とを備えることを特徴とする画像形成装置。
【請求項２】
前記集約原稿画像と前記記録紙を表す記録紙画像とを前記集約に関する設定を行うための設定画面に表示する表示手段をさらに備え、
前記集約パターン決定手段は、前記設定画面におけるユーザによる操作指示入力に応じて、前記記録紙画像に対する各集約原稿画像の移動、回転、拡大又は縮小の設定を行うとともに、該各集約原稿画像に対する前記原稿画像の配列順を設定することにより前記集約パターンを決定することを特徴とする請求項１に記載の画像形成装置。
【請求項３】
前記集約パターン決定手段は、前記記録紙のサイズ及び向きを設定する記録紙設定機能を備えており、
前記表示手段は、前記記録紙設定機能により設定された記録紙のサイズ及び向きのうち少なくとも向きを反映した前記記録紙画像を前記集約原稿画像と共に表示することを特徴とする請求項２に記載の画像形成装置。
【請求項４】
前記集約パターン決定手段は、前記設定画面におけるユーザのドラッグ操作による指示入力に応じて、前記各集約原稿画像の移動、回転、拡大又は縮小の少なくとも１つの処理を行うドラッグ処理機能をさらに備えることを特徴とする請求項２又は３に記載の画像形成装置。
【請求項５】
前記集約パターン決定手段は、前記設定画面におけるユーザによる操作指示入力に応じて、前記各集約原稿画像に対してカラー印刷を行うか否かの設定を行うカラー設定機能をさらに備えることを特徴とする請求項２〜４のいずれかに記載の画像形成装置。
【請求項６】
前記集約パターン決定手段は、前記設定画面におけるユーザによる操作指示入力に応じて、前記記録紙画像に対する前記各集約原稿画像の配置を自動的に調整する配置調整機能をさらに備えることを特徴とする請求項２〜５のいずれかに記載の画像形成装置。
【請求項７】
前記集約パターン決定手段は、前記集約パターンとして、第１の記録紙又は記録紙群のための第１の集約パターンと、第２の記録紙又は記録紙群のためのパターンであって、前記第１の集約パターンとは異なる第２の集約パターンとを決定することを特徴とする請求項２〜６のいずれかに記載の画像形成装置。
【請求項８】
前記複数の原稿画像の枚数を設定する枚数設定手段をさらに備え、
前記集約パターン決定手段は、前記設定された枚数の情報及び前記設定画面におけるユーザによる操作指示入力に基づいて、複数の前記記録紙画像に対する複数の前記集約原稿画像の集約パターンである全体集約パターンを決定し、
前記集約原稿画像生成手段は、前記全体集約パターンに基づいて、前記原稿画像取得手段により取得された原稿画像から該全体集約パターンに対応する前記集約原稿画像を生成することを特徴とする請求項２〜６のいずれかに記載の画像形成装置。
【請求項９】
それぞれ所定数の前記集約原稿画像を含む前記複数の記録紙画像を前記設定画面に切り替え表示する切替え手段をさらに備えることを特徴とする請求項８に記載の画像形成装置。
【請求項１０】
前記複数の記録紙画像における一の記録紙画像に対する集約原稿画像の集約パターンを記憶する記憶手段をさらに備え、
前記表示手段は、前記記憶手段に記憶された集約パターンと同じ集約パターンを有する集約原稿画像及び記録紙画像を前記設定画面に表示することを特徴とする請求項８又は９に記載の画像形成装置。
【請求項１１】
前記集約パターン決定手段は、前記設定画面におけるユーザによる操作指示入力に応じて、前記複数の記録紙画像における各集約原稿画像に対して自動的に付番する付番機能をさらに備えることを特徴とする請求項８〜１０のいずれかに記載の画像形成装置。
【発明の詳細な説明】
【技術分野】
【０００１】
本発明は、複写機等の画像形成装置に関し、特に、集約コピーが可能な画像形成装置に関するものである。
【背景技術】
【０００２】
従来、複写機等の画像形成装置は、原稿台に載置されるなどした複数枚の原稿を読み取り、この読み取りによって得られた複数の原稿画像を縮小させて１枚の記録紙に集約してコピーさせる、所謂集約コピーが可能な構成を備えたものが普及している（例えば特許文献１参照）。この集約コピーにおいては、図１４（ａ）、（ｂ）に示すように、例えば２枚或いは４枚の原稿を１枚の記録紙に集約するに際して、ユーザは符号９０１〜９０４又は符号９０５〜９０８で示す集約パターンの中から１つの集約パターンを選択するようにしていた。
【特許文献１】特開２００１−１４８７７４号公報
【発明の開示】
【発明が解決しようとする課題】
【０００３】
しかしながら上記従来技術では、集約パターンは予め決められており、すなわち定型化されており、ユーザはこの定型化された集約パターンから選択した集約パターンでしか集約コピーすることができず、これ以外の集約パターンで集約コピーしたい場合には、所望の集約パターンとなるよう自分で縮小コピーして配置しなくてはならないなど非常に手間がかかるものであった。
【０００４】
本発明は上記事情に鑑みてなされたもので、ユーザが所望の集約パターンで集約コピーすることができる画像形成装置を提供することを目的とする。
【課題を解決するための手段】
【０００５】
本発明に係る画像形成装置は、複数の原稿画像をそれぞれ集約原稿画像として記録紙に集約して印刷する画像形成装置であって、前記原稿画像を取得する原稿画像取得手段と、前記集約原稿画像毎に前記集約に関する設定を行うことにより、前記記録紙に対する該集約原稿画像の集約パターンを決定する集約パターン決定手段と、前記集約パターン決定手段により決定された集約パターンに基づいて、前記原稿画像取得手段により取得された原稿画像から該集約パターンに対応する前記集約原稿画像を生成する集約原稿画像生成手段と、前記集約原稿画像生成手段により生成された集約原稿画像を前記記録紙に前記集約パターンで印刷する印刷手段とを備えることを特徴とする。
【０００６】
上記構成によれば、原稿画像取得手段によって原稿画像が取得される。そして、集約パターン決定手段によって、集約原稿画像毎に集約に関する設定を行うことにより、記録紙に対する該集約原稿画像の集約パターンが決定される。また、集約原稿画像生成手段によって、集約パターン決定手段により決定された集約パターンに基づいて、原稿画像取得手段により取得された原稿画像から該集約パターンに対応する集約原稿画像が生成される。そして、印刷手段によって、集約原稿画像生成手段により生成された集約原稿画像が記録紙にこの集約パターンで印刷される。
【０００７】
また、上記構成において、前記集約原稿画像と前記記録紙を表す記録紙画像とを前記集約に関する設定を行うための設定画面に表示する表示手段をさらに備え、前記集約パターン決定手段は、前記設定画面におけるユーザによる操作指示入力に応じて、前記記録紙画像に対する各集約原稿画像の移動、回転、拡大又は縮小の設定を行うとともに、該各集約原稿画像に対する前記原稿画像の配列順を設定することにより前記集約パターンを決定することが好ましい（請求項２）。
【０００８】
この構成によれば、表示手段によって、集約原稿画像と記録紙を表す記録紙画像とが、集約に関する設定を行うための設定画面に表示される。そして、集約パターン決定手段によって、設定画面におけるユーザによる操作指示入力に応じて、記録紙画像に対する各集約原稿画像の移動、回転、拡大又は縮小の設定が行われるとともに、該各集約原稿画像に対する原稿画像の配列順が設定されることにより集約パターンが決定される。
【０００９】
また、上記構成において、前記集約パターン決定手段は、前記記録紙のサイズ及び向きを設定する記録紙設定機能を備えており、前記表示手段は、前記記録紙設定機能により設定された記録紙のサイズ及び向きのうち少なくとも向きを反映した前記記録紙画像を前記集約原稿画像と共に表示することが好ましい（請求項３）。
【００１０】
この構成によれば、集約パターン決定手段が備える記録紙設定機能によって、記録紙のサイズ及び向きが設定され、表示手段によって、記録紙設定機能により設定された記録紙のサイズ及び向きのうち少なくとも向きが反映された記録紙画像が、集約原稿画像と共に表示される。
【００１１】
また、上記構成において、前記集約パターン決定手段は、前記設定画面におけるユーザのドラッグ操作による指示入力に応じて、前記各集約原稿画像の移動、回転、拡大又は縮小の少なくとも１つの処理を行うドラッグ処理機能をさらに備えることが好ましい（請求項４）。
【００１２】
この構成によれば、集約パターン決定手段が備えるドラッグ処理機能によって、設定画面におけるユーザのドラッグ操作による指示入力に応じて、各集約原稿画像の移動、回転、拡大又は縮小の少なくとも１つの処理が行われる。
【００１３】
また、上記構成において、前記集約パターン決定手段は、前記設定画面におけるユーザによる操作指示入力に応じて、前記各集約原稿画像に対してカラー印刷を行うか否かの設定を行うカラー設定機能をさらに備えることが好ましい（請求項５）。
【００１４】
この構成によれば、集約パターン決定手段が備えるカラー設定機能によって、設定画面におけるユーザによる操作指示入力に応じて、各集約原稿画像に対してカラー印刷を行うか否かの設定が行われる。
【００１５】
また、上記構成において、前記集約パターン決定手段は、前記設定画面におけるユーザによる操作指示入力に応じて、前記記録紙画像に対する前記各集約原稿画像の配置を自動的に調整する配置調整機能をさらに備えることが好ましい（請求項６）。
【００１６】
この構成によれば、集約パターン決定手段が備える配置調整機能によって、設定画面におけるユーザによる操作指示入力に応じて、記録紙画像に対する各集約原稿画像の配置が自動的に調整される。
【００１７】
また、上記構成において、前記集約パターン決定手段は、前記集約パターンとして、第１の記録紙又は記録紙群のための第１の集約パターンと、第２の記録紙又は記録紙群のためのパターンであって、前記第１の集約パターンとは異なる第２の集約パターンとを決定することが好ましい（請求項７）。
【００１８】
この構成によれば、集約パターン決定手段によって、集約パターンとして、第１の記録紙又は記録紙群のための第１の集約パターンと、第２の記録紙又は記録紙群のためのパターンであって、第１の集約パターンとは異なる第２の集約パターンとが決定される。
【００１９】
また、上記構成において、前記複数の原稿画像の枚数を設定する枚数設定手段をさらに備え、前記集約パターン決定手段は、前記設定された枚数の情報及び前記設定画面におけるユーザによる操作指示入力に基づいて、複数の前記記録紙画像に対する複数の前記集約原稿画像の集約パターンである全体集約パターンを決定し、前記集約原稿画像生成手段は、前記全体集約パターンに基づいて、前記原稿画像取得手段により取得された原稿画像から該全体集約パターンに対応する前記集約原稿画像を生成することが好ましい（請求項８）。
【００２０】
この構成によれば、枚数設定手段によって複数の原稿画像の枚数が設定され、集約パターン決定手段によって、該設定された枚数の情報及び設定画面におけるユーザによる操作指示入力に基づいて、複数の記録紙画像に対する複数の集約原稿画像の集約パターンである全体集約パターンが決定される。そして、集約原稿画像生成手段によって、この全体集約パターンに基づいて、原稿画像取得手段により取得された原稿画像から該全体集約パターンに対応する集約原稿画像が生成される。
【００２１】
また、上記構成において、それぞれ所定数の前記集約原稿画像を含む前記複数の記録紙画像を前記設定画面に切り替え表示する切替え手段をさらに備えることが好ましい（請求項９）。
【００２２】
この構成によれば、切替え手段によって、それぞれ所定数の集約原稿画像を含む複数の記録紙画像が設定画面に切り替え表示される。
【００２３】
また、上記構成において、前記複数の記録紙画像における一の記録紙画像に対する集約原稿画像の集約パターンを記憶する記憶手段をさらに備え、前記表示手段は、前記記憶手段に記憶された集約パターンと同じ集約パターンを有する集約原稿画像及び記録紙画像を前記設定画面に表示することが好ましい（請求項１０）。
【００２４】
この構成によれば、記憶手段によって、複数の記録紙画像における一の記録紙画像に対する集約原稿画像の集約パターンが記憶され、表示手段によって、記憶手段に記憶された集約パターンと同じ集約パターンを有する集約原稿画像及び記録紙画像が設定画面に表示される。
【００２５】
また、上記構成において、前記集約パターン決定手段は、前記設定画面におけるユーザによる操作指示入力に応じて、前記複数の記録紙画像における各集約原稿画像に対して自動的に付番する付番機能をさらに備えることが好ましい（請求項１１）。
【００２６】
この構成によれば、集約パターン決定手段が備える付番機能によって、設定画面におけるユーザによる操作指示入力に応じて、複数の記録紙画像における各集約原稿画像に対する付番が自動的に行われる。
【発明の効果】
【００２７】
請求項１記載の発明によれば、集約原稿画像毎に集約に関する設定を行うことにより、記録紙に対する該集約原稿画像の集約パターンが決定される、すなわち集約原稿画像それぞれに対して集約設定がなされるため、これら集約原稿画像による集約パターンをユーザ所望の集約パターンにすることができる。そして、この設定した集約パターンに基づいて、原稿画像から該集約パターンに対応する集約原稿画像が生成され、この集約原稿画像が当該集約パターンで記録紙に印刷されるので、当該ユーザ所望の集約パターンで集約コピーすることができる。
【００２８】
請求項２記載の発明によれば、表示手段に表示された設定画面におけるユーザによる操作指示入力に応じて、記録紙画像に対する各集約原稿画像の移動、回転、拡大又は縮小の設定が行われるとともに、該各集約原稿画像に対する原稿画像の配列順が設定されることにより集約パターンが決定されるので、ユーザ所望の集約パターンに設定することが容易に行えるようになる。
【００２９】
請求項３記載の発明によれば、記録紙の向きが反映された記録紙画像が集約原稿画像と共に表示されるので、記録紙画像に対する集約原稿画像の集約に関する設定（集約設定）を記録紙の向きも考慮して直感的により容易に行うことが可能となる。
【００３０】
請求項４記載の発明によれば、各集約原稿画像の移動、回転、拡大又は縮小の少なくとも１つの処理がドラッグ操作により行えるため、ユーザ所望の集約パターンに設定することがより容易に行えるようになる。
【００３１】
請求項５記載の発明によれば、集約原稿画像に対してカラー印刷を行うか否かの設定が行われるので、カラー印刷（又はモノクロ印刷）の実行、不実行の設定も含んで集約パターンの設定を行うことができ、ひいては高い自由度で集約パターンの設定が行えるようになる。
【００３２】
請求項６記載の発明によれば、記録紙画像に対する各集約原稿画像の配置が自動的に調整されるので、ユーザ所望の集約パターンに設定することがより容易且つ確実に行えるようになる。
【００３３】
請求項７記載の発明によれば、集約パターン決定手段によって、集約パターンとして、第１の記録紙又は記録紙群のための第１の集約パターンと、第２の記録紙又は記録紙群のための、第１の集約パターンとは異なる第２の集約パターンとが決定されるので、複数の集約原稿画像を、第１の集約パターン或いは第２の集約パターンというように異なる集約パターンで集約設定することが可能となるとともに、各集約原稿画像を当該集約設定された第１の集約パターン或いは第２の集約パターンで、それぞれ所定枚数の記録紙（１枚の記録紙或いは複数の記録紙；記録紙群）に対して印刷することが可能となる。
【００３４】
請求項８記載の発明によれば、設定された枚数の情報及び設定画面におけるユーザによる操作指示入力に基づいて、複数の記録紙画像に対する複数の集約原稿画像の集約パターンである全体集約パターンが決定されるので、複数の集約原稿画像による複数の記録紙画像に亘っての集約設定を行うことが可能となる。すなわち複数の集約原稿画像をユーザ所望の全体集約パターンで集約させることができる。そして、この設定した全体集約パターンに基づいて、原稿画像から該全体集約パターンに対応する集約原稿画像が生成されるので、生成されたこの全体集約パターンに対応する集約原稿画像を記録紙に印刷する、すなわちユーザ所望の全体集約パターンで集約コピーすることが可能となる。
【００３５】
請求項９記載の発明によれば、それぞれ所定数の集約原稿画像を含む複数の記録紙画像が設定画面に切り替え表示する切替え手段を備えているので、ユーザは、この切替え手段を用いて各記録紙画像（所定数の集約原稿画像を含む）を切り替え表示して各記録紙画像間を自由に行き来しながら、ユーザ所望の全体集約パターンをより容易に設定することが可能となる。また、複数の集約原稿画像の複数の記録紙画像に亘る集約設定を謂わば一度に纏めて行えるようになる、すなわち、１つの記録紙画像に対する集約原稿画像の集約設定を完了してから次の記録紙画像に対する集約原稿画像の集約設定を行うといったように、必ず先頭の記録紙画像から順番に設定を行っていく必要がなくなる（集約設定の自由度が高くなる）。
【００３６】
請求項１０記載の発明によれば、記憶手段に記憶された集約パターンと同じ集約パターンを有する集約原稿画像及び記録紙画像が設定画面に表示されるので、すなわち、同じ集約パターンを有する集約原稿画像及び記録紙画像を設定画面に複製（コピー）して表示することができるので、既に作成されたものと同じ集約パターンを有する集約原稿画像及び記録紙画像を、同じ作業を繰り返して謂わば一から作成する（表示させる）手間を省くことができ、複数の集約原稿画像の複数の記録紙画像に亘る集約設定をより容易に行えるようになる。
【００３７】
請求項１１記載の発明によれば、複数の記録紙画像における各集約原稿画像に対する付番が自動的に行われるので、ユーザ所望の全集約パターンの設定をより容易に行えるようになる。
【発明を実施するための最良の形態】
【００３８】
以下、本発明に係る画像形成装置について図面を参照しながら説明する。図１は本発明に係る画像形成装置の一例である複写機１の内部構成を概略的に示す断面図である。複写機１は、画像形成部１００、画像形成部１００を備える本体部Ｂの上方に設置された原稿給送部２００、本体部Ｂの上部に設置された原稿読取部３００、本体部Ｂの下部に設置された給紙部４００、本体部Ｂのフロント部に設置された操作表示部５００を備えている。
【００３９】
原稿読取部３００は、原稿の読み取りを行って当該原稿に対応する画像データを生成するものである。原稿読取部３００は、光学的に取得した原稿の画像から画像データを生成するＣＣＤ（Charge Coupled Device）センサ及び露光ランプ等を備えたスキャナ３０１などからなり、その上面に、装置原稿読み取り用の第１プラテンガラス３０２と、ＡＤＦ原稿読み取り用の第２プラテンガラス３０３とを備えている。原稿読取部３００は、第１プラテンガラス３０２上に載置された原稿、あるいは原稿給送部２００によって第２プラテンガラス３０３に接するようにして搬送（移動）される原稿を走査しつつ取得した画像データを後述する制御部２へ出力する。
【００４０】
原稿給送部２００（ＡＤＦ）は、原稿載置台２０１に載置された原稿を、原稿読取部３００（第２プラテンガラス３０３の原稿読み取り位置）へ給送するとともに、当該原稿読取部３００によって読み取られた原稿を原稿給送部２００の原稿排出部２０２へ排出する一連の原稿給送動作を行うものである。この原稿給送部２００は、装置の背面側を回動支点（回転中心軸）として本体部Ｂ（原稿読取部３００）の上面に対して可倒式に構成されており、第１プラテンガラス３０２（第２プラテンガラス３０３）の上面を開放するように上方かつ後方側に開くように持ち上げることにより、第１プラテンガラス３０２の上面に、例えば見開き状態にされた書籍等の読み取り用原稿を載置することが可能に構成されている。
【００４１】
給紙部４００は、画像形成部１００に対して用紙の給紙を行うものである。給紙部４００は、Ｂ５、Ａ４、Ｂ４、Ａ３サイズなど複数種類のサイズの用紙（記録紙）が収納される複数の給紙カセット例えば給紙カセット４０１、４０２、及び本体部Ｂの一側方部に開閉自在に構成された手差しトレイ４０３１等からなる手差し給紙部４０３を備えている。また、給紙部４００は、給紙カセット４０１、４０２から画像形成部１００へ用紙を搬送する搬送経路４０４、手差し給紙部４０３から画像形成部１００へ用紙を搬送する搬送経路４０５を備えている。各給紙カセット４０１、４０２及び手差し給紙部４０３は、収納されている用紙を取り出すためのピックアップローラ４０６、４０７、４０８、用紙を１枚ずつ各搬送経路に送り出す給紙ローラ４０９、４１０、４１１を備えている。搬送経路４０４には、用紙を搬送する搬送ローラ４１２、４１３、及び搬送されてくる用紙を画像形成部１００の手前で待機させるためのレジストローラ４１４が設けられている。なお、搬送経路４０５は、レジストローラ４１４の上流側で搬送経路４０４と合流している。
【００４２】
画像形成部１００は、給紙部４００によって搬送されてきた用紙に対して所定の画像を形成する（印刷する）ものである。画像形成部１００は、同図中に示す矢印方向に回転可能に支持された感光体ドラム１０１、この感光体ドラム１０１の周囲に配設された帯電部
１０２、現像部１０３、クリーニング部１０４、レーザ走査ユニット１０５及び転写ロー
ラ１０６、転写ローラ１０６の下流側に配設された定着ローラ１０７を備えている。
【００４３】
帯電部１０２は、感光体ドラム１０１の表面を所定電位に均一に帯電させるものである。レーザ走査ユニット１０５は、後述する画像記憶部３０等から送信されてきた画像データに基づき、レーザービームを感光体ドラム１０１の表面に照射し、感光体ドラム１０１表面に静電潜像を形成するものである。現像部１０３は、静電潜像にトナーを付着させて画像（原稿画像）を顕在化させるものである。転写ローラ１０６は、搬送されてきた用紙を感光体ドラム１０１に押し付けた状態で、感光体ドラム１０１上に顕在化したトナー像を当該用紙に転写するものである。定着ローラ１０７は、用紙に転写されたトナー像を定着させるものである。定着ローラ１０７は、ヒートローラ及び圧ローラ（いずれも図示省略）からなり、このヒートローラの熱によって用紙上のトナーを溶かし、圧ローラによって圧力をかけてトナーを用紙上に定着させる。クリーニング部１０４は、用紙への画像の転写が終了した後、感光体ドラム１０１の表面に残留しているトナーを清掃するものである。
【００４４】
本体部Ｂの上部及び側面部には、用紙排出トレイ１０８、１０９が設けられており、定着ローラ１０７から搬送されてきた用紙は、それぞれ排出ローラ１１０、１１１によって用紙排出トレイ１０８、１０９へ排出される。なお、用紙の搬送方向は、排出分岐ガイド１１２によって、排出ローラ１１０側と排出ローラ１１１側とに切り換え可能に構成されている。
【００４５】
操作表示部５００は、ユーザの操作に応じて所定の指示入力を行うものである。操作表示部５００は、ユーザが印刷実行指示を入力するためのスタートキー５０１と、印刷部数等を入力するためのテンキー５０２と、各種複写動作の設定等を入力するための操作ガイド情報等を表示すると共に、種々の操作ボタン等が表示される液晶表示器（ＬＣＤ）等からなる表示器５０３とを備えている。表示器５０３は、この表示面をユーザが指等で押圧或いは接触することによって指示入力（コマンド入力）が可能な所謂タッチパネル（操作パネル）で構成されている。本実施形態では、このタッチパネルに表示される集約設定画面において、ユーザが所望の集約パターンを設定する、換言すれば所望の集約パターンにカスタマイズすることが可能とされることが主な特徴点であるが、この構成及び動作の詳細については後述する。
【００４６】
図２は、図１に示す複写機１の概略構成を示すブロック図である。複写機１は、装置全体の動作制御を司る制御部２を備えている。制御部２は、複写機１の制御プログラムを記憶するＲＯＭ（Read Only Memory）、一時的にデータを保管するＲＡＭ（Random Access Memory）、及び上記制御プログラム等をＲＯＭから読み出して実行するマイクロコンピュータ等からなり、操作表示部５００等において入力された所定の指示情報や、本装置の各所に設けられた各種センサからの検出信号に応じて装置全体の制御を行うものである。この制御部２は、上記画像形成部１００、原稿給送部２００、原稿読取部３００、給紙部４００及び操作表示部５００、並びに画像記憶部６００及びネットワークＩ／Ｆ部７００などが接続されている。
【００４７】
画像記憶部６００は、原稿読取部３００によって読み取られた原稿の画像データやネットワークＩ／Ｆ部７００等を介して所定の外部装置（例えばＰＣ：パーソナルコンピュータ等の情報処理装置）から送信されてきた画像データを一時的に記憶するメモリである。ネットワークＩ／Ｆ部７００は、ＬＡＮ（Local Aera Network）等のネットワークを介して接続された上記外部装置との間における種々のデータの送受信を制御するものである。
【００４８】
ここで、本実施形態の主な特徴点の一つである集約パターンの設定について以下に説明する。図３、４は、それぞれ表示器５０３に表示される集約設定画面の一例である集約設定画面Ｇ１、Ｇ２を示す。先ずこの集約設定画面Ｇ１、Ｇ２の構成及びこれによる集約設定に関する動作について説明する。
【００４９】
図３、４に示すように、表示器５０３の集約設定画面Ｇ１は、例えばその略中央部Ｃの領域に、用紙を表す画像（用紙画像という）３と、この用紙画像３に集約される原稿を表す画像（集約原稿画像という）４とを併せてなる謂わば現在の集約パターンの設定状況が反映された集約パターン画像５が表示される。この集約パターン画像５の表示領域（集約パターン画像表示領域Ｐという）の周辺の表示領域、ここでは図中、表示器５０３の右側及び左側の表示領域Ｒ、Ｌ並びに下側の表示領域Ｕに、集約設定に関する各種指示入力を行うための各種ボタン群及び設定情報が表示される。
【００５０】
＜右側の表示領域Ｒ＞
右側の表示領域Ｒには、回転ボタン２１、拡大・縮小ボタン２２、順番ボタン２３、カラーボタン２４、配置調整ボタン２５、全指定ボタン２６、解除ボタン２７、確定ボタン２８及び設定保存ボタン２９等からなる、各集約原稿画像４に対する集約設定を行うための集約設定ボタン群２０が表示される。回転ボタン２１は、集約パターン画像５において表示された集約原稿画像４をその向きを変えるべく回転させるための指示入力を行うボタンである。拡大・縮小ボタン２２は、集約原稿画像４を拡大又は縮小表示するための指示入力を行うボタンである。順番ボタン２３は、集約パターン画像５における各集約原稿画像４の配列の順番、すなわち集約における配置位置を設定するための指示入力を行うボタンである。カラーボタン２４は、集約原稿画像４をカラーで印刷する否か（モノクロで印刷するか）を指定するための指示入力を行うボタンである。
【００５１】
配置調整ボタン２５は、集約パターン画像５において、ユーザがマニュアル操作で、すなわち後述するように指でタッチしたりドラッグしたりして行った集約原稿画像４の配置（配列）を自動的に調整するための指示入力を行うボタンである。全指定ボタン２６は、上記回転、拡大・縮小、順番、カラー等の設定を行うに際して、集約パターン画像５に表示されている全ての集約原稿画像４を指定するための指示入力を行うボタンである。解除ボタン２７は、上記回転、拡大・縮小、順番、カラー等の設定を行うに際しての、集約原稿画像４の指定を解除するための指示入力を行うボタンである。確定ボタン２８は、上記回転、拡大・縮小、順番、カラー等の設定を確定するための指示入力を行うボタンである。設定保存ボタン２９は、上記各集約設定により得られた集約パターンの情報を保存するための指示入力を行うボタンである。ただし、当該保存される集約パターンの情報は、集約原稿画像４のみ（集約原稿画像４ａ〜４ｃのみ）の集約情報でもよいし、これに用紙画像３のサイズや向きの情報も併せてなる集約情報（集約パターン画像５に示す用紙画像３及び各集約原稿画像４からなる全体の集約情報）でもよい。
【００５２】
＜左側の表示領域Ｌ＞
左側の表示領域Ｌには、原稿サイズボタン３１、原稿向きボタン３２、３３、解除ボタン３４及び確定ボタン３５等からなる、原稿に対する設定を行うための原稿設定ボタン群３０と、ユーザの操作における所謂ガイド（案内）情報であって、原稿載置台２０１に原稿を載置する順番（載置する原稿束のページ並び）を知らせる（報知する）ためのガイド画像３６と、現在の原稿の設定情報を表示するための原稿設定情報画像３７と、集約パターン画像５に表示する集約原稿画像４を生成するための生成ボタン３８となどが表示される。ただし、上記原稿サイズボタン３１は原稿サイズを指定するボタンであり、原稿向きボタン３２、３３はそれぞれ原稿の向きすなわち縦方向又は横方向を指定するボタンであり、解除ボタン３４は原稿に対する当該設定を解除するボタンであり、確定ボタン３５は原稿に対する当該設定を確定するボタンである。
【００５３】
このガイド画像３６は、複数枚の原稿が少しずれた状態で且つ重なった状態での絵柄で表示したものであり、各原稿の所定位置には手前から１、２、３・・・などと上記順番を示す情報が表示されている。ここでは、ガイド画像３６はあくまでもユーザが“順番”に注意するよう喚起する画像（固定画像）であって原稿の向きについては反映されていないが、後述の生成ボタン３８のように、原稿設定情報に応じて原稿の向きを反映した画像（変化する画像）を表示するようにしてもよい。複写機１は、この順番で原稿が載置されることを前提として集約コピーを行う。
【００５４】
原稿設定情報画像３７には、例えば図３に示すように、原稿設定ボタン群３０によって設定された原稿サイズ（ここではＡ４サイズ）及び原稿向き（ここでは縦；タテ）が例えば文字情報として表示される。生成ボタン３８は、この生成ボタン３８が表示されている箇所をユーザが指などでタッチし、そのタッチした状態で指を画面上を滑らす（摺接移動する）ようにして上記集約パターン画像表示領域Ｐ内へ移動させる、すなわち生成ボタン３８を集約パターン画像表示領域Ｐ内へドラッグするような動作を行うことで、現在、生成ボタン３８として表示されている原稿画像（原稿の内容ではなく原稿を模式的に表示した画像；例えばアイコン；これを「ボタン原稿画像」という）と同様の原稿画像、謂わば生成ボタン３８のコピー画像（ボタン原稿画像）が、集約原稿画像４として集約パターン画像表示領域Ｐ内に生成されて表示される。ユーザはこの動作を繰り返すことで、集約させたい任意の個数の集約原稿画像４を生成することができる。なお、集約パターン画像表示領域Ｐ内に生成されたボタン原稿画像（集約原稿画像４）のことを、後述する集約設定における基準（ベース）となる原稿画像という意味で「基準原稿画像」とも表現する。
【００５５】
生成ボタン３８のボタン原稿画像は、原稿設定ボタン群３０（原稿向きボタン３２、３３）によって設定された原稿の向き（ここではタテ向き）が反映されたものが表示される、すなわち設定された向きにボタン原稿画像が表示される。原稿サイズは反映されていない。また、生成ボタン３８におけるボタン原稿画像には、載置する原稿の向きすなわち原稿の例えば天地の判別が可能な情報（天地情報という）が併せて表示されている（左右の判別が可能な情報でもよい）。本実施形態では、例えば天側の端部を所定の色で網掛け表示するようにしている。これに限らず、所定の文字やマークなど、天地の向きが判別可能であればどのような表示方法でもよい。なお、このボタン原稿画像の天、地の位置は、ボタン原稿画像の向きが変更されて例えば横向きになる場合も、図３中の上側が天、下側が地となるように、すなわち現在のタテ向きのボタン原稿画像の天地位置と同じ位置となるように表示される（実際の原稿内容に則した天地向きと一致せずともよい）。
【００５６】
上記生成ボタン３８から集約パターン画像表示領域Ｐ内に集約原稿画像４を生成した時点では、この集約原稿画像４の天地位置（向き）は、生成ボタン３８におけるボタン原稿画像の天地位置（向き）と同じとなっている。当該生成したボタン原稿画像の状態（向き、集約サイズ、配置）をデフォルトとして、随時、これに対する集約設定を行っていく。
【００５７】
なお、生成ボタン３８は、原稿載置台２０１或いは載置原稿の搬入口（の向き）を示す原稿搬入口画像３８１と、原稿の搬入方向を示す矢印３８２とともに表示されている。この表示により、ユーザは実際に原稿をセットするときに原稿載置台２０１にどのような向きで載置したらよいかが容易に判断（視認）できる。また、生成ボタン３８に対して、符号３８３で示すように、指の移動方向或いはドラッグ方向を示す矢印画像とともに、「ドラッグして下さい」などといったメッセージ文を表示してもよい。これによりユーザは当該集約設定における操作を迷うことなく行える、すなわち操作性が向上する。
【００５８】
また、生成ボタン３８は、上記ドラッグするなどして集約パターン画像表示領域Ｐに生成し易いように、すなわちドラッグする距離が短くて済むように集約パターン画像表示領域Ｐに対してより近い位置に表示される。ただし、ユーザの利き手すなわち右利き、左利きの違いによるドラッグのし易さを考慮して集約パターン画像表示領域Ｐに対する生成ボタン３８の表示位置を設定することが好ましい。本実施形態では、右利きのユーザは左側から右側へドラッグするのが容易であると仮定して生成ボタン３８を図３に示す位置に配置している。
【００５９】
＜下側の表示領域Ｕ＞
下側の表示領域Ｕには、用紙サイズボタン４１、用紙向きボタン４２、４３、解除ボタン４４及び確定ボタン４５等からなる、用紙に対する設定を行うための用紙設定ボタン群４０と、現在の用紙の設定情報を表示するための用紙設定情報画像４６となどが表示される。ただし、上記用紙サイズボタン４１は用紙サイズを指定するボタンであり、用紙向きボタン４２、４３はそれぞれ用紙の向きすなわち縦方向又は横方向を指定するボタンであり、解除ボタン４４は用紙に対する当該設定を解除するボタンであり、確定ボタン４５は用紙に対する当該設定を確定するボタンである。用紙設定情報画像４６には、例えば図３に示すように、用紙設定ボタン群４０によって設定された用紙サイズ（ここではＡ４サイズ）及び用紙向き（ここでは横；ヨコ）が例えば文字情報として表示される。
【００６０】
なお、上記各種ボタン群及び設定情報の表示位置は、図３、４に示すものに限らず、例えば下側の表示領域Ｕでなく上側の表示領域に表示されてもいし、左右側の表示内容が入れ替わっていてもよいし、左右両側に表示されずに何れか一方側の領域に纏まって表示されてもよい。各領域のボタン構成や設定情報表示構成も任意でよい。
【００６１】
ここで、集約設定の一例として、３枚の原稿（集約原稿画像４）を１枚の用紙（用紙画像３）に集約する場合の動作について、集約設定ボタン群２０等のより詳細な設定動作や構成と併せて説明する。ただし、Ｎ個の集約原稿画像を１枚の用紙に集約することを、Ｎｉｎ１と表すこととする。ここでの集約は３ｉｎ１と表すことができる。
【００６２】
先ず原稿のサイズや向きの設定、及び用紙のサイズや向きの設定を行う（どちらを先に設定してもよい）。ユーザは、用紙サイズボタン４１のうちの例えばＡ４サイズのボタンをタッチ（押下）し、また、用紙向きボタン４３をタッチした後、確定ボタン４５をタッチすることで、用紙サイズがＡ４サイズに、また用紙向きが横向きに設定される。これにより用紙設定情報画像４６に「Ａ４」、「ヨコ」などと表示されるとともに、集約パターン画像表示領域Ｐに、横向きの用紙画像（用紙を模式的に示す画像）が表示される。なお、タッチされたボタン、すなわち用紙サイズボタン４１（Ａ４サイズのボタン部）や用紙向きボタン４３は、現在選択されていることが判別できるようにその表示色が変化する構成でもよい。また、当該用紙設定後、解除ボタン４４をタッチした場合には、この用紙設定の全てが解除されてすなわち何れも選択されていない状態（変化された表示色が元の色に戻された状態）、或いはデフォルトの設定状態、例えばＡ４サイズ、ヨコ向きが設定された状態にされてもよい。このことは以下の解除ボタン３４についても同様である。
【００６３】
続いて、原稿サイズボタン３１のうちの例えばＡ４サイズのボタンをタッチ（押下）するとともに原稿向きボタン３２をタッチした後、確定ボタン３５をタッチすることで、原稿サイズがＡ４サイズに、また用紙向きが縦向きに設定される。これにより原稿設定情報画像３７に「Ａ４」、「タテ」などと表示されるとともに、生成ボタン３８のボタン原稿画像が縦向きに表示される。
【００６４】
次に、ユーザは生成ボタン３８からボタン原稿画像をドラッグしてくる動作を３回繰り返すことで、集約パターン画像表示領域Ｐ、或いは集約パターン画像表示領域Ｐに既に表示されている用紙画像３の所望の位置（大凡の位置で構わない）に、例えば順に集約原稿画像４ａ、４ｂ、４ｃと３つの集約原稿画像４が生成される。そして、ユーザは、この３つの集約原稿画像４のうちの向きを変更したい集約原稿画像４をタッチすることにより選択する。ただし、全ての集約原稿画像４を一度に纏めて選択したい場合には、全指定ボタン２６をタッチすればよい。なお、始めに全指定ボタン２６により全ての集約原稿画像４を選択した状態にしておき、除外したい集約原稿画像４をタッチすることで、結果として残りの集約原稿画像４を選択するようにしてもよい（以下についても同様）。
【００６５】
ここでは例えば集約原稿画像４ａ、４ｂの２つをそれぞれタッチして選択する。当該タッチされることで選択された集約原稿画像４は、選択されたことが識別できるような情報が表示される、すなわち例えば選択された集約原稿画像４の表示色が切り替わる。そして、回転ボタン２１をタッチすると、何れの向きにどれ位だけ回転させるのかを設定（指示）する情報、例えば右向きに９０°、左向きに９０°、或いは１８０°回転させるといった選択肢（選択項目）情報が所定の指示入力画像２１１（ポップアップ画像、小窓）として表示される。ユーザはこれらから例えば左９０°の個所をタッチして選択する。すると、集約原稿画像４ａ、４ｂは左向きに９０°回転する。
【００６６】
次に、各集約原稿画像４を所望のサイズに拡大又は縮小する。ユーザは、当該３つの集約原稿画像４うちの拡大又は縮小させたい集約原稿画像４をタッチすることにより選択する。先ずユーザは集約原稿画像４ｃをタッチして選択し、拡大・縮小ボタン２２をタッチする。すると拡大・縮小ボタン２２に対して（例えばこの隣位置に）、上記指示入力画像２１１と同様、どれ位だけ拡大又は縮小するのかを設定する情報、例えば、拡大又は縮小の相対値（パーセンテージ；％）や絶対値として、任意の値を、又は複数の固定値から選択するようにして指定する、或いは２ｉｎ１、３ｉｎ１、４ｉｎ１などの各集約率（固定値）から選択して指定することが可能な指示入力画像（図示省略）が表示される。ここでは集約原稿画像４ｃに対して２ｉｎ１の集約率を指定する。ただし、この集約率（２ｉｎ１）の選択によって、用紙画像３に対して集約原稿画像４ｃが集約率２ｉｎ１のサイズとなるように自動的に拡大又は縮小される。同様にして、上記で左９０°回転された状態の集約原稿画像４ａ、４ｂをタッチして選択し、例えば集約率４ｉｎ１を指定する。これにより、集約原稿画像４ａ〜４ｃは、図４の集約設定画面Ｇ２に示す状態となる。なお、集約原稿画像４の拡大、縮小は、集約原稿画像４が現在居る同じ場所で行われるものとする。したがって、拡大、縮小した後、集約原稿画像４が互いに重なる場合には、重ならないように、集約原稿画像４をドラッグして所望の位置に移動させる（ドラッグ移動させる）ようにしてもよい（位置を手動で調整してもよい）。
【００６７】
次に、上記で設定した集約原稿画像４ａ〜４ｃに対する原稿（原稿画像）の配列順（順番、割り当て）を設定する。この場合、先ず順番ボタン２３にタッチした後、集約原稿画像４ａ〜４ｃに対して、所望の順に集約原稿画像４をタッチしていくと、そのタッチしていった順に順番すなわち上記配列順が設定される。このとき、符号４Ｎで示すように、各集約原稿画像４の所定の場所にタッチした順番を示す番号等の情報（順番情報４Ｎ）が表示されてもよい。この順番情報４Ｎの表示に併せて、タッチされたものの表示色が切り替わるようにしてもよい。順番を間違った場合には、順番ボタン２３をタッチして最初から設定し直してもよいし、例えば今、タッチしたばかりの集約原稿画像４の順番が違うことに気付いたときなど、もう一度続けてその集約原稿画像４をタッチすることで、この集約原稿画像４の順番設定だけが解除されるようにしてもよい。当該配列順を設定する方法はこれに限らず、例えば、先ず１つの集約原稿画像４をタッチして選択しておき、この選択に対して順番ボタン２３をタッチし、上記と同様に、例えば選択肢として１〜Ｎ番の番号が表示された指示入力画像２１１から、設定したい順番（番号）を選択するようにしてもよい。
【００６８】
次に、集約原稿画像４ａ〜４ｃに対して、カラー印刷を行うか否かの設定を行う。この場合、上記と同様に、カラーで印刷したい集約原稿画像４をタッチして選択する。全てをカラーで印刷したい場合には全指定ボタン２６をタッチして一度に纏めて指定してもよい。ただし、当該カラー印刷が行えるためには、カラー原稿画像が用意されてなくてはならず、このカラー原稿画像は、カラーの原稿を原稿読取部３００（ＡＤＦ）で読み取って取得したものでもよいし、ネットワークＩ／Ｆ部７００を介してＰＣ等から送信されてきたものでもよい。なお、カラー原稿を扱わない場合には、当該カラー設定は行わないものとする。これに関し、カラーボタン２４をタッチしない場合には、自ずと全ての集約原稿画像４がモノクロ印刷されるようデフォルト設定されていてもよい。
【００６９】
ところで、集約原稿画像４ａ〜４ｃの配置の調整は、調整したい集約原稿画像４を手動ですなわちこれをタッチしてその状態でドラッグ移動するなどして、当該集約設定中（確定ボタン２８により確定されるまでは）に適宜行うことができる。このとき、現在タッチして位置調整を行っている集約原稿画像４の位置の情報例えば用紙画像３に対する座標位置（図示省略）を表示してもよい。このように集約原稿画像４の配置の調整は手動で可能ではあるが、配置調整ボタン２５によって自動的に行ってもよい。具体的には、配置調整ボタン２５がタッチされると、用紙画像３に対して各集約原稿画像４の配置（配置位置）が調整される、すなわち例えば図６（ａ）に示すように各集約原稿画像４の一端側（の例えば基準線Ｂ１、Ｂ２（何れか一方の基準線だけでもよい）を基準として各集約原稿画像４間の間隔や端辺の位置が自動的に調整される、或いは図６（ｂ）に示すように例えば中央（中心）線Ｂ３を基準として同様に位置が自動的に調整されるようにしてもよい。なお、当該自動配置調整の基準は任意に設定することができる。
【００７０】
これまでの集約設定内容でよい場合には、確定ボタン２８をタッチして集約設定を確定させる。この後、実際の集約コピー動作に移る。これまでの集約設定（全ての設定）を一度に纏めて解除する場合に解除ボタン２７を押すようにしてもよい。或いは解除ボタン２７を一度に纏めて解除するためのものとして用いずに、例えば解除ボタン２７をタッチした後、解除したい設定のボタン、例えば回転ボタン２１をタッチすることで、この回転の設定のみが解除されるようにしてもよい。なお、集約設定の順序は、上述のように回転、拡大・縮小、順番、カラー・・・などの順序でなくともよく、任意の順序で構わない。いずれにしても、集約の設定及びその解除が柔軟に行えるようなボタン構成、指示方法であることが好ましい。
【００７１】
以上のようにして集約設定が行われて集約パターンが決定される。この集約パターンの情報は、設定保存ボタン２９をタッチすることで所定のメモリに保存されて、以降、適宜読み出されて使用される構成であってもよい。当該保存するときに、集約パターンに任意の名前（例えばファイル名）情報を付与することが可能なタッチパネル構成を備えてもよい。
【００７２】
図５は、図２に示す制御部２の主に集約設定に関するブロック図である。同図に示すように、制御部２は、表示制御部８１、タッチ動作検出部８２、集約情報設定部８３、給紙カセット設定部８４及び集約画像生成部８５を備えている。表示制御部８１は、表示器５０３の画面表示、すなわち集約設定画面Ｇ１、Ｇ２等の表示を制御するものである。タッチ動作検出部８２は、表示器５０３に表示される各集約設定画面における各種ボタンや集約パターン画像５（用紙画像３及び集約原稿画像４）に対するタッチ動作を検出、すなわちこれらの箇所が指等で押圧されたか（触れられたか）否かを検出するものである。集約情報設定部８３は、集約原稿画像４や用紙画像３による集約情報すなわち集約パターンを設定するものである。
【００７３】
集約情報設定部８３は、原稿・用紙サイズ向き設定部８３１、基準原稿画像生成部８３２、移動設定部８３３、回転設定部８３４、拡大・縮小設定部８３５、順番設定部８３６、カラー設定部８３７、配置調整部８３８及び設定記憶部８３９を備えている。
【００７４】
原稿・用紙サイズ向き設定部８３１は、原稿設定ボタン群３０による指示入力に基づいて原稿のサイズ及び向きを設定するとともに、用紙設定ボタン群４０による指示入力に基づいて用紙（用紙画像３）のサイズ及び向きを設定するものである。基準原稿画像生成部８３２は、生成ボタン３８から基準原稿画像（集約原稿画像４）を生成するものである。この生成動作は、生成ボタン３８が例えば指でタッチされた時点で、或いはドラッグするような動作でこの指が集約パターン画像表示領域Ｐ内に到達した時点で行われる。移動設定部８３３は、集約設定画面（Ｇ１やＧ２）において集約原稿画像４の位置を移動させる、すなわち集約原稿画像４をドラッグするのに応じてそのドラッグ方向に移動させるとともに、その移動した先の位置を設定するものである。回転設定部８３４は、回転ボタン２１による指示入力に基づいて、集約設定画面において集約原稿画像４を回転移動させるとともに、その回転後の位置を設定するものである。
【００７５】
拡大・縮小設定部８３５は、拡大・縮小ボタン２２による指示入力に基づいて、集約設定画面において集約原稿画像４を拡大又は縮小させるとともに、その拡大又は縮小後のサイズ（位置）を設定するものである。順番設定部８３６は、順番ボタン２３による指示入力に基づいて、各集約原稿画像４（例えば上記集約原稿画像４ａ〜４ｃ）に対する原稿の配置順（順番）を設定するものである。カラー設定部８３７は、カラーボタン２４による指示入力に基づいて、各集約原稿画像４のうちのどの集約原稿画像４をカラー印刷するものとするかの設定を行うものである。設定記憶部８３９は、設定保存ボタン２９による指示入力に基づいて、集約設定情報すなわち決定された集約パターンの情報を記憶するものである。なお、回転設定部８３４、拡大・縮小設定部８３５、順番設定部８３６、カラー設定部８３７及び配置調整部８３８などは、集約設定に際して上記指示入力画像２１１を表示するとともに、この指示入力画像２１１から入力された指示に基づいて当該設定動作を行う構成となっている。
【００７６】
給紙カセット設定部８４は、原稿・用紙サイズ向き設定部８３１に設定された用紙サイズ及び用紙向きの情報（用紙設定情報）に基づき、当該設定した用紙に対して実際の印刷時に何れの給紙カセットの用紙を使用するのかについて設定するものである。給紙カセット設定部８４は、現在の各給紙カセットにおける用紙のセット状態（各給紙カセットの用紙サイズ及び向き）を検知して、或いは既定値としてそのセット情報を記憶しており、この用紙セット情報及び用紙設定情報に基づいて、何れの給紙カセットから給紙させるかを選択する。実際には、設定した用紙サイズと同じ用紙サイズ（向きは異なっていてもよい）がセットされている給紙カセットを選択する。用紙の向きについては、集約コピー時に、集約画像（各集約原稿画像４）をこの給紙カセットの用紙の向きに合うように回転させればよい。
【００７７】
集約画像生成部８５は、集約情報設定部８３において設定された集約パターン情報（集約情報）と、給紙カセット設定部８４に設定された用紙のセット情報とに基づいて、原稿読取部３００による原稿の読み取り等によって得られた原稿画像から、当該集約パターンに対応する集約画像（例えば図４に示す集約原稿画像４ａ〜４ｃ）を実際に生成するものである。集約画像生成部８５は、拡大・縮小処理部８５１、回転処理部８５２、配置処理部８５３及びカラー処理部８５４を備えている。拡大・縮小処理部８５１は、上記集約パターン情報と用紙セット情報とに基づいて、該集約パターンにおける各集約原稿画像４のサイズとなるように、各原稿画像に対する拡大又は縮小処理を行うものである。
【００７８】
回転処理部８５２は、上記集約パターン情報と用紙セット情報とに基づいて、該集約パターンにおける用紙画像３に対する各集約原稿画像の向きとなるように、各原稿画像に対する回転処理を行うものである。配置処理部８５３は、上記集約パターン情報と用紙セット情報とに基づいて、該集約パターンにおける用紙画像３に対する各集約原稿画像の配置位置（レイアウト）となるように、各原稿画像に対する配置処理（レイアウト処理）を行うものである。
【００７９】
カラー処理部８５４は、上記集約パターン情報に基づいて、該集約パターンにおける各集約原稿画像のカラー印刷を行うか否かの設定に応じて、当該集約原稿画像をカラー画像又はモノクロ画像にする処理（これをカラー処理という）を行うものである。具体的には、カラー処理部８５４は、上記集約原稿画像について、原稿画像がカラー画像である場合に、このカラー画像をそのままカラー画像として出力する、或いはカラー画像をモノクロ画像に変換する処理を行う。一方、原稿画像がモノクロ画像である場合には、そのままモノクロ画像として出力する処理を行う。
【００８０】
このように、制御部２によって、集約設定画面における操作により集約情報設定部８３に集約パターンが設定され、この集約パターン（集約パターン画像５の状態）となるよう、原稿画像のサイズ及び向き（原稿載置台２０１に向きを考慮して載置された設定サイズの原稿の読み取りにより得られた原稿画像情報）と、実際の給紙カセットにおける用紙のサイズ及び向き（給紙カセット設定部８４に設定されている用紙セット情報）との対応関係が調整（決定）されて、画像形成部１００により当該集約パターンでの画像形成（集約コピー）が行われる。
【００８１】
ところで、上述では、主に、集約原稿画像４（図３、４に示す例えば集約原稿画像４ａ〜４ｃ）を１枚の用紙画像３に対して集約する場合について説明したが、複数枚の用紙画像３に亘って集約できる、すなわち、例えば１０枚の原稿があったとして、図１１に示すように、これらの原稿画像つまり１０個の集約原稿画像４ｄ〜４ｍ（番号１番〜１０番とする）を、複数枚例えば３枚の用紙画像３ａ〜３ｃにそれぞれ所定個数に分けて集約できるように構成してもよい。
【００８２】
この場合、例えば図９、１０に示すように、上記図３、４、５に示す構成に加えて、当該複数枚の用紙画像３に亘っての集約設定動作を行うための入力ボタン群や各機能部を備えていてもよい。先ず図９においては、集約設定画面Ｇ２に、枚数入力ボタン６１、次ページボタン６２、前ページボタン６３が、全体表示ボタン６４、オート付番ボタン６５、同パターンボタン６６及び最終確定ボタン６７を備えている。
【００８３】
枚数入力ボタン６１は、読み込んで集約させたい原稿の枚数を入力するための指示入力を行うボタンである。ユーザは枚数入力ボタン６１を押下した後、テンキー５０２から該当する枚数例えば“１０”を入力する。この枚数情報はユーザが視認できるように画面に表示されてもよい（図９では「１０枚」と表示されている）。次ページボタン６２は、例えば集約設定画面Ｇ２（Ｇ１）に或る１つ目の用紙画像３ａが表示されていたとすると、この用紙画像３ａの次の用紙画像３ｂ（ページ）を表示させるための、つまり複数の用紙画像３を順次表示していくための指示入力を行うボタンである。例えば図１１において、現在、用紙画像３ａが表示されているとすると、次ページボタン６２が押下される度に次の用紙画像３ｂ、用紙画像３ｃ・・・と順に表示が切り替えられていく。
【００８４】
前ページボタン６３（戻りボタン）は、現在表示されている用紙画像３の前の用紙画像３（ページ）が表示される、すなわち、現在、用紙画像３ｂが表示されていたとすると、この前ページボタン６３が押下されることによって用紙画像３ａに切り替えて表示される。現在表示されている用紙画像３が何ページ目のものであるかがユーザにより視認できるように、このページ情報が集約設定画面に表示されてもよい。なお、次ページボタン６２や前ページボタン６３（或いは全体表示ボタン６４）は、集約設定画面Ｇ２（Ｇ１）における例えば上記中央部Ｃ（集約パターン画像５の上方又は下方近傍位置）など、ユーザが集約パターン画像５を見ながら直感的に操作し易い位置に表示されることが望ましい。
【００８５】
全体表示ボタン６４は、複数の用紙画像３全てに対する集約設定の完了後に（複数の用紙画像３に亘る集約設定の途中でもよい）、例えば図１１のように全体の設定状況つまり全ての用紙画像３ａ〜３ｂを同じ集約設定画面に同時に表示するための指示入力を行うボタンである。ただし、この場合、用紙画像３ａ〜３ｃは全体が画面内に収まるよう縮小化されている。なお、これら全ての用紙画像３ａ〜３ｃに対する全ての集約原稿画像４による集約パターンのことを「全体集約パターン」と表現する。これにより、各用紙画像３に対して各集約原稿画像４が集約されたもの（各用紙画像３ａ〜３ｃに対応する３つの集約パターン画像５を纏めて考えた場合の全体の集約パターン画像；全体集約パターン画像）が纏めて所謂プレビュー表示されるので、集約設定の全体像が把握し易くなるすなわちこの集約設定内容で良いのか否かを（実際の印刷動作が開始される前に）ユーザが確認することが容易となる。
【００８６】
オート付番ボタン６５は、後述の図１２で説明するように、各用紙画像３に対する各集約原稿画像４の配列の順番を所定の付番基準に従って自動的に設定する（オート付番する）ための指示入力を行うボタンである。同パターンボタン６６は、各用紙画像３を同じ集約パターンにする（或いは同じ集約パターンの用紙画像３及び集約原稿画像４を生成する）ための指示入力を行うボタンである。最終確定ボタン６７は、全ての集約原稿画像４における全用紙画像３に亘っての集約設定が完了した後、（実際の印刷動作への移行前に）最終的にこの設定を確定させるための指示入力を行うボタンである。ただし、例えば解除ボタン２７を押下すればこの最終確定が解除される（集約設定が行える）ようにしてもよい。
【００８７】
本変形態様では、図１０に示すように、図５に示す各機能部８１〜８５に加えて、例えば枚数設定部８６及びエラー判定部８７を備えた構成としてもよい。枚数設定部８６は、上記枚数入力ボタン６１による指示入力及びテンキー５０２からの入力情報を受けて、原稿の枚数情報を設定するものである。
【００８８】
エラー判定部８７は、後述するように、複数の用紙画像３に亘っての集約設定に際してのエラーつまり誤操作や誤設定を判定するとともに、これに対するエラー情報の報知動作を行うものである。エラー判定部８７は当該エラー判定がなされると、集約設定画面Ｇ２（Ｇ１）の後述する符号Ｈで示す領域等の視認性の高い場所にエラー情報を表示する。なお、次ページボタン６２及び前ページボタン６３による用紙画像３（集約原稿画像４を含む各用紙画像３；各集約パターン画像５）の切り替え表示や、上記全体表示ボタン６４による全体集約パターン画像の表示（報知情報、原稿枚数或いは何ページ目かの表示）等は例えば表示制御部８１によって制御される。また、上記オート付番ボタン６５によるオート付番するための処理（オート付番処理）は例えば順番設定部８３６によって行われる。
【００８９】
ここで、例えば１０枚の原稿画像を３枚の用紙画像に集約させる場合の実際の手順（動作）の一例について説明する。先ず、枚数入力ボタン６１（テンキー５０２）により原稿枚数を例えば１０枚と入力した後、上記実施形態と同様にして用紙画像３ａに対してドラッグ等により所定数の集約原稿画像、例えば集約原稿画像４ｄ〜４ｆの３つを生成し、これら集約原稿画像４ｄ〜４ｆに対する各種集約設定（回転、拡大・縮小、順番、カラー、配置調整等の設定）を行う。当該各種集約設定に際して、上記と同様（例えば図７参照）にドラッグ操作を行うことによって各集約原稿画像４に対する移動、回転、拡大又は縮小を行ってもよい。この用紙画像３ａでの集約設定終了時に確定ボタン２８を押下してもよい。ただしこのとき、枚数設定部８６では１０枚から３枚が減算されて残り７枚分の原稿（集約原稿画像）に対する集約設定が必要であること、或いは現在、１０枚のうちの３枚分の集約原稿画像４に対する集約設定が行われた（完了した）ということが検出される。
【００９０】
また、各集約原稿画像に対する順番を設定する際、例えば、先ず集約原稿画像４ｄに対して順番ボタン２３をタッチすると、指示入力画像２１１に選択肢として全枚数（１０枚）に対応する１〜１０番の番号情報が表示されてユーザはこれら番号から所望の１つの番号を選択し、次の例えば集約原稿画像４ｅに対しては最初に選択した番号（ここでは１番）以外の全番号（２〜１０）が表示されてこれから１つの番号を選択し、さらに次の集約原稿画像４ｆに対しては、集約原稿画像４ｄ、４ｅで選択された番号（１番及び３番）以外の全番号が表示されてこれから１つの番号を選択するというようにして順番が設定される。
【００９１】
次に、次ページボタン６２を押下して集約設定画面に用紙画像３ｂを表示させる（用紙画像３ａから用紙画像３ｂに切り替える）。このとき、用紙画像３ｂは、デフォルトとして前ページの用紙画像３ａと同じ用紙サイズ及び向きで表示されてもよい。この用紙画像３ｂに対して、同様に所定数の集約原稿画像、例えば集約原稿画像４ｇ〜４ｉの３つを生成し、これら集約原稿画像４ｇ〜４ｉに対する各種集約設定を行う。この場合も同様に、集約原稿画像４ｇに対して番号１、３、５（集約原稿画像３ａで選択された番号）以外の番号が表示されてこれから選択するというようにして順番設定が行われる。また、枚数設定部８６では残り４枚分の集約原稿画像に対する集約設定が必要であることが検出される。上記と同様、ここでの用紙画像３ｂに対する集約設定完了後に確定ボタン２８を押下してもよい（次の用紙画像３ｃの場合も同様に確定ボタン２８を押下してもよい）。当該確定ボタン２８が押下されると、この集約設定情報（集約パターン画像情報）が一時的に設定記憶部８３９に記憶される（集約設定内容が変更されて確定ボタン２８が押下されるとこの情報が更新記憶される）。
【００９２】
さらに、同様に次ページボタン６２を押下して集約設定画面に用紙画像３ｃを表示させて、この用紙画像３ｃに対して所定数の集約原稿画像、例えば集約原稿画像４ｊ〜４ｍの４つを生成し、これら集約原稿画像４ｊ〜４ｍに対する各種集約設定を行う。そして、最終確定ボタン６７を押下することで、全体の設定すなわち１０枚の原稿画像（集約原稿画像４）全てにおける用紙画像３ａ〜３ｃに対する集約設定が確定される。
【００９３】
なお、上述では、用紙画像３ａの集約設定完了後に次ページボタン６２を押下して表示させた時点の用紙画像３ｂは集約原稿画像４が生成されていない所謂白紙状態であるが、これに限らず、用紙画像３ａにおける集約原稿画像４ｄ〜４ｆと同じ集約設定状態の集約原稿画像４を用紙画像３ｂと併せて表示する、つまり前ページと同じ用紙画像３及び集約原稿画像４の設定状態（集約パターン画像５）を謂わばコピーして表示するようにしてもよい。この場合の前ページの集約設定情報（集約パターン画像情報）は例えば設定記憶部８３９に記憶されている。
【００９４】
また、上述では用紙画像３ａ（３ｂ）の集約設定完了後に次ページボタン６２を押下して表示させた用紙画像３ｂは、用紙画像３ａ（３ｃ）と同じサイズ及び向きであるが、勿論当該表示後に用紙設定ボタン群４０によってこの用紙サイズや向きが変更されてもよい。すなわち用紙画像３ａがＡ４サイズ、用紙画像３ｂがＢ５サイズ、用紙画像３ｃがＡ３サイズなどと互いに異なるように設定することも可能である。各設定途中の解除方法等は上記実施形態と同様である。また、この複数の用紙画像３に亘る各集約原稿画像４の集約設定情報（集約パターン情報）を設定保存ボタン２９により設定保存することも勿論可能である。
【００９５】
ところで、複数の集約原稿画像４を複数の用紙画像３に亘って集約設定する方法は、上述のように、各用紙画像３毎に順々に集約設定するつまり１つの用紙画像３に対する集約設定を完了させてから次の用紙画像３に移っていく方法に限らず、謂わば全ての用紙画像３に亘って同時に（一度に纏めて）設定する方法でもよい。この場合、先ず、例えば上記図３における集約パターン画像５に示すもの（用紙画像３上に所定数の基準原稿画像を有するもの）を集約原稿画像数つまり原稿枚数に応じて所定数分だけ用意する。すなわち、原稿枚数が１０枚であるのならば、例えば図１１のように基準原稿画像をそれぞれ３つ、３つ、４つの配分で割り当てた３つの用紙画像３ａ、３ｂ、３ｃを用意（作成）しておく。このとき各用紙画像３に対して確定ボタン４５を押下して各用紙画像３での集約設定を仮に完了させておく。換言すれば、用紙画像３ａに対してボタン原稿画像を３つドラッグ生成した後、確定ボタン４５を押下し、次ページボタン６２を押下して次の用紙画像３ｂを表示させてボタン原稿画像を３つドラッグ生成して確定ボタン４５を押下し、さらに次ページボタン６２を押下して次の用紙画像３ｃを表示させてボタン原稿画像を４つドラッグ生成して確定ボタン４５を押下する。これに限らず、ボタン原稿画像がドラッグ生成されていない用紙画像３だけを先に所要数分だけ（ここでは３つ）用意しておき、後からボタン原稿画像を生成（分配配置）してもよい。また、このように複数の用紙画像３（基準原稿画像も生成されている）を用意する際に、同パターンボタン６６を押下して、或る用紙画像３に対する同じもの（同じ集約パターン）を謂わばコピーして作成（複製）してもよい。
【００９６】
そして、ボタン原稿画像（基準原稿画像）が生成された各用紙画像３において、次ページボタン６２及び前ページボタン６３を用いてこれら用紙画像３同士の間を行き来しながら、各基準原稿画像（集約原稿画像４）に対する各種集約設定を行う。
【００９７】
この場合、特に順番の設定については、例えば、先ず１つの集約原稿画像４をタッチして選択しておき、この選択に対して順番ボタン２３をタッチして、上記と同様に例えば選択肢として１〜１０番の番号が表示された指示入力画像２１１から所望の順番（番号）を選択する、という設定動作を繰り返しながら、全ての集約原稿画像４に対する順番（ここでは１番から１０番）を決定すればよい。すなわち３つの用紙画像３ａ〜３ｃに亘って任意に切り替え表示しながら、例えば図１１に示すように用紙画像３ａにおいて集約原稿画像４ｄに対する１番、集約原稿画像４ｅに対する３番を設定し、次ページボタン６２を２回押下して用紙画像３ｃを表示させて、ここにおいて同様に例えば２、８、９、１０番を設定し、前ページに戻って用紙画像３ｂで４番を設定し、用紙画像３ａで５番を設定したのち、再度、用紙画像３ｂを表示して７番を設定するというように任意な用紙画像３に対して任意な集約原稿画像４の順番を設定してもよい。順番の設定方法はこれに限らず、上述のように順番ボタン２３を押下した後、全集約原稿画像４ｄ〜４ｍに対して、所望の順にタッチしていくことで、そのタッチした順に順番を設定する方法であってもよい。
【００９８】
なお、順番の設定は上述のように１つ１つ謂わば手動で行ってもよいし、オート付番ボタン６５を押下して自動的に行ってもよい。この場合、例えばオート付番ボタン６５が押下されると、図１２に示すように例えば用紙画像３ａ〜３ｃに亘って各集約原稿画像４ｄ〜４ｍに対して先頭の集約原稿画像４から所定の付番ルール（付番情報）に従って１番〜１０番まで自動的に付番される構成としてもよい。この付番ルールは、図１２の場合、用紙画像３の先ず左側位置の集約原稿画像４が優先され、次に上段（上側）位置の集約原稿画像４が優先されるというような優先順位決定に関するルールである。なお、この付番ルールはこれに限らず、例えば先ず上段を優先して次に右側を優先する、或いは付番の順を１０番〜１番と逆に行う、或いは用紙画像３内の或る位置を基点として時計回りに付番する、といったように任意なものが採用可能である。
【００９９】
上記オート付番処理は、順番設定部８３６によって、予め内部に記憶された付番ルールに基づいて実行される。付番設定の都度、この付番ルールをユーザが任意に設定する（例えば指示入力画像２１１で選択肢を表示してこれから選択する）構成としてもよい。なお、オート付番は全ての用紙画像３に対してでなく各用紙画像３毎に行ってもよい、すなわち或る用紙画像３の各集約原稿画像４に対して第１の付番ルールでオート付番し、次の用紙画像３の各集約原稿画像４に対して第２の付番ルールでオート付番するというように用紙画像３毎に異なる付番ルールで行うことが可能な構成としてもよい。
【０１００】
全ての用紙画像３に亘って同時に設定する場合において、ここでは順番について説明したが、他の集約設定（回転、拡大・縮小、カラー、配置調整等）についても同様である。当該他の集約設定において、各集約原稿画像４に対する集約設定を１つづつ行うのでなく、全部同時に行うようにしてもよい。すなわち、例えば３つの用紙画像３に亘る全ての集約原稿画像４を例えば全指定ボタン２６を押下して一度に指定し、これら集約原稿画像４を同時に回転、拡大・縮小したり、カラー指定してもよい。以上のようにして各用紙画像３に対する各集約原稿画像４の集約設定を各ページ間を自由に行き来して行い、これが完了すると最終確定ボタン６７を押下する。この後、全体表示ボタン６４を押下すると、全ての用紙画像３における集約設定状況が確認できる。
【０１０１】
なお、用紙画像３及び集約原稿画像４の作成（集約設定）に際して、同パターンボタン６６を用いて、現在、集約設定画面に表示されている集約パターン画像５と同じものを作成してもよい、すなわち図１３に示すように、先ず用紙画像３ａに対する各集約原稿画像４の集約設定を完了しておき（このとき付番は行っていない）、同パターンボタン６６を押下することで、用紙画像３ａと同じ集約パターンを有する用紙画像３ｂ、３ｃ・・・を複製してもよい。ただし、この複製に際しては原稿枚数が反映される、つまり当該複製される毎に使用された枚数が枚数設定部８６により計数され、最後の用紙画像３ｄには残りの集約原稿画像４（ここでは１０枚目である１つの集約原稿画像４）が表示される。付番については、これら用紙画像３ａ〜３ｄに対して上記と同様に行えばよい。また、当該複製に際して、複製の元（コピー源）となる集約パターン（集約パターン画像５）の情報は例えば設定記憶部８３９に記憶されており、複製処理（集約設定処理）は集約情報設定部８３及び集約画像生成部８５で実行される。なお、同パターンボタン６６の押下に続いてオート付番６５を押下することで、当該複製処理と付番処理とが同時に行える（この結果、図１３に示すようになる）構成としてもよい。
【０１０２】
また、集約設定において誤操作や誤設定がなされた場合に所定のエラー情報を報知する構成としてもよい。すなわち、例えば原稿枚数が１０枚であり、例えば６つの集約原稿画像４だけしか集約設定が完了していないのに（例えば図１１に示す用紙画像３ａ、３ｂにおける集約設定だけが完了しており、残りの４つの集約原稿画像４に対する集約設定を行う必要があるのに）に最終確定ボタン６７が押下されたとき、或いは、用紙画像３ａ〜３ｃまで既に１０個分の集約原稿画像４の集約設定が完了しているのに、さらに次ページボタン６２を押下して新たに用紙画像３を作成しようとしたときなどに、集約設定画面（Ｇ２）における例えば符号Ｈで示す領域に所定のエラー情報、例えば「全ての原稿に対する集約設定が完了していません（或いは“しています”）」などのエラーメッセージ（文字や記号、絵）を表示してもよい。勿論、エラー情報を所定の音声により報知してもよい。要は、エラーであることがユーザに報知できるのであれば何れの方法でも構わない。
【０１０３】
さらに、当該複数の集約原稿画像４の複数の用紙画像３に亘って集約する構成は、以下のように換言できる。すなわち、集約情報設定部８３は、複数の集約原稿画像４における集約パターンとして、或る第１の集約パターンと、第１の集約パターンと異なる第２の集約パターンとを決定することが可能に構成されていると言える。ただし、この第１の集約パターンで所定枚数の用紙（第１の用紙又は用紙群；１枚又は複数枚の第１の用紙）に対して該第１の集約パターンにおける各集約原稿画像４が印刷され、第２の集約パターンで所定枚数の用紙（第２の用紙又は用紙群；１枚又は複数枚の第２の用紙）に対して該第２の集約パターンにおける各集約原稿画像４が印刷される、というように集約印刷動作が行われる構成であってもよい。
【０１０４】
以上のように、本実施形態における画像形成装置（複写機１）によれば、原稿読取部３００（原稿画像取得手段）によって原稿画像が取得される。そして、集約情報設定部８３（集約パターン決定手段）によって、集約原稿画像４（例えば集約原稿画像４ａ〜４ｃ）毎に集約に関する設定（集約設定）を行うことにより、用紙に対する該集約原稿画像４の集約パターンが決定される。また、集約画像生成部８５（集約原稿画像生成手段）によって、上記集約情報設定部８３により決定された集約パターンに基づいて、上記原稿読取部３００により取得された原稿画像から該集約パターンに対応する集約原稿画像４が生成される。そして、画像形成部１００（印刷手段）によって、集約画像生成部８５により生成された集約原稿画像４（複数の集約原稿画像４からなる集約画像）が用紙にこの集約パターンで印刷（画像形成）される。
【０１０５】
このように、集約原稿画像４毎に集約設定を行うことにより、用紙に対する該集約原稿画像４の集約パターンが決定される、すなわち集約原稿画像４それぞれに対して集約設定がなされるため、これら集約原稿画像４による集約パターンをユーザ所望の集約パターンにすることができるようになる。そして、この設定した集約パターンに基づいて、原稿画像から該集約パターンに対応する集約原稿画像４が生成され、この集約原稿画像４が当該集約パターンで用紙に印刷されるので、当該ユーザ所望の集約パターンで集約コピーすることができる。
【０１０６】
また、表示器５０３（表示手段）によって、集約原稿画像４と用紙を表す用紙画像３とが、集約設定を行うための集約設定画面Ｇ１（Ｇ２）に表示される。そして、集約情報設定部８３によって、集約設定画面におけるユーザによる操作指示入力に応じて、用紙画像３に対する各集約原稿画像４の移動、回転、拡大又は縮小の設定が行われるとともに、該各集約原稿画像４に対する原稿画像の配列順が設定されることにより集約パターンが決定される。
【０１０７】
このように、表示器５０３に表示された集約設定画面におけるユーザによる操作指示入力に応じて、用紙画像３に対する各集約原稿画像４の移動、回転、拡大又は縮小の設定が行われるとともに、該各集約原稿画像４に対する原稿画像の配列順が設定されることにより集約パターンが決定されるので、ユーザ所望の集約パターンに設定することが容易に行えるようになる。
【０１０８】
また、集約情報設定部８３が備える用紙設定機能（記録紙設定機能）によって、用紙のサイズ及び向きが設定され、表示器５０３によって、用紙設定機能により設定された用紙のサイズ及び向きのうち少なくとも向きが反映された用紙画像３が、集約原稿画像４と共に表示される。このように、用紙の向きが反映された用紙画像３が集約原稿画像４と共に表示されるので、用紙画像３に対する集約原稿画像４の集約設定を用紙の向きも考慮して直感的により容易に行うことが可能となる。
【０１０９】
また、集約情報設定部８３が備えるドラッグ処理機能によって、集約設定画面におけるユーザのドラッグ操作による指示入力に応じて、各集約原稿画像４の移動、回転、拡大又は縮小の少なくとも１つの処理が行われる。このように、各集約原稿画像４の移動、回転、拡大又は縮小の少なくとも１つの処理がドラッグ操作により行えるため、ユーザ所望の集約パターンに設定することがより容易に行えるようになる。
【０１１０】
また、集約情報設定部８３が備えるカラー設定機能によって、集約設定画面におけるユーザによる操作指示入力に応じて、各集約原稿画像４に対してカラー印刷を行うか否かの設定が行われる。このように、集約原稿画像４に対してカラー印刷を行うか否かの設定が行われるので、カラー印刷（又はモノクロ印刷）の実行、不実行の設定も含んで集約パターンの設定を行うことができ、ひいては高い自由度で集約パターンの設定が行えるようになる。
【０１１１】
また、集約情報設定部８３が備える配置調整機能によって、集約設定画面におけるユーザによる操作指示入力に応じて、用紙画像３に対する各集約原稿画像４の配置が自動的に調整されるので、ユーザ所望の集約パターンに設定することがより容易且つ確実に行えるようになる。
【０１１２】
また、集約情報設定部８３によって、上記集約パターンとして、第１の記録紙又は記録紙群のための第１の集約パターンと、第２の記録紙又は記録紙群のための、第１の集約パターンとは異なる第２の集約パターンとが決定されるので、複数の集約原稿画像を、第１の集約パターン或いは第２の集約パターンというように異なる集約パターンで集約設定することが可能となるとともに、各集約原稿画像を当該集約設定された第１の集約パターン或いは第２の集約パターンで、それぞれ所定枚数の記録紙（１枚の記録紙或いは複数の記録紙；記録紙群）に対して印刷することが可能となる。
【０１１３】
また、枚数設定部８６（枚数設定手段）によって複数の原稿画像の枚数が設定され、集約情報設定部８３によって、この設定された枚数の情報及び集約設定画面（設定画面）におけるユーザによる操作指示入力に基づいて、複数の用紙画像３（例えば上記用紙画像３ａ〜３ｃ）に対する複数の集約原稿画像４（例えば上記集約原稿画像４ｄ〜４ｍ）の集約パターンである全体集約パターン（全体集約パターン画像）が決定される。そして、集約画像生成部８５によって、この全体集約パターンに基づいて、原稿読取部３００により取得された原稿画像から全体集約パターンに対応する集約原稿画像４（複数の集約原稿画像４からなる集約画像）が生成される。
【０１１４】
このように、設定された枚数の情報及び設定画面におけるユーザによる操作指示入力に基づいて、複数の用紙画像３に対する複数の集約原稿画像４の集約パターンである全体集約パターンが決定されるので、複数の集約原稿画像４による複数の用紙画像３に亘っての集約設定を行うことが可能となる。すなわち複数の集約原稿画像４をユーザ所望の全体集約パターンで集約させることができる。そして、この設定した全体集約パターンに基づいて、原稿画像から全体集約パターンに対応する集約原稿画像４が生成されるので、生成されたこの全体集約パターンに対応する集約原稿画像４を用紙に印刷する、すなわちユーザ所望の全体集約パターンで集約コピーすることが可能となる。
【０１１５】
また、それぞれ所定数の集約原稿画像４を含む複数の用紙画像３が集約設定画面に切り替え表示する切替え手段（次ページボタン６２及び前ページボタン６３、表示制御部８１）を備えているので、ユーザは、この切替え手段を用いて各用紙画像３（所定数の集約原稿画像４を含む）を切り替え表示して各用紙画像３間（例えば用紙画像３ａ〜３ｃ）を自由に行き来しながら、ユーザ所望の全体集約パターンをより容易に設定することが可能となる。また、複数の集約原稿画像４の複数の用紙画像３に亘る集約設定を謂わば一度に纏めて行えるようになる、すなわち、１つの用紙画像３に対する集約原稿画像４の集約設定を完了してから次の用紙画像３に対する集約原稿画像４の集約設定を行うといったように、必ず先頭の用紙画像３から順番に設定を行っていく必要がなくなる（集約設定の自由度が高くなる）。
【０１１６】
また、設定記憶部８３９（記憶手段）によって、複数の用紙画像３における或る１つの用紙画像３に対する集約原稿画像４の集約パターン（例えば用紙画像３ａにおける集約原稿画像４ｄ〜４ｆの集約パターン）が記憶され、表示器５０３（表示制御部８１、同パターンボタン６６）（表示手段）によって、設定記憶部８３９に記憶された集約パターンと同じ集約パターンを有する集約原稿画像４及び用紙画像３（例えば用紙画像３ｂ及びこれに対する集約原稿画像４ｄ〜４ｆ；図１３参照）が集約設定画面に表示されるので、すなわち、同じ集約パターンを有する集約原稿画像４及び用紙画像３を集約設定画面に複製（コピー）して表示することができるので、既に作成されたものと同じ集約パターンを有する集約原稿画像４及び用紙画像３を、同じ作業を繰り返して謂わば一から作成する（表示させる）手間を省くことができ、複数の集約原稿画像４の複数の用紙画像３に亘る集約設定をより容易に行えるようになる。
【０１１７】
また、集約情報設定部８３が備える付番機能（順番設定部８３６、オート付番ボタン６５）によって、集約設定画面におけるユーザによる操作指示入力に応じて、複数の用紙画像３における各集約原稿画像４に対する付番が自動的に行われるので、ユーザ所望の全集約パターンの設定をより容易に行えるようになる。なお、本発明は以下の態様をとることができる。
【０１１８】
（Ａ）上記実施形態では、集約設定画面に対する指示入力を、ユーザの指（タッチ動作）により行う構成としているが、例えばペン（指示棒）などを用いて行うようにしてもよい。要は画面にタッチすることが可能であれば何れのものであってもよい。
【０１１９】
（Ｂ）上記実施形態では、拡大・縮小設定部８３５による集約原稿画像４の拡大又は縮小を、拡大・縮小ボタン２２すなわちボタン入力によって行う構成としているが、集約原稿画像４の所定の箇所をドラッグすることにより行うようにしてもよい。この場合、例えば図７（ａ）に示すように、集約原稿画像４の端辺部を指或いは上記ペン等によりタッチしてそのままドラッグすることにより、縦方向又は横方向にすなわち部分的に拡大、縮小するようにしてもよい。或いは図７（ｂ）に示すように、集約原稿画像４の角部を指或いは上記ペン等によりタッチしてそのままドラッグすることにより、斜め方向にすなわち全体的に拡大、縮小するようにしてもよい。
【０１２０】
（Ｃ）集約パターンは、上記図８に示すようなものに限らず、例えば図８に示すように各集約原稿画像４が重なった状態となるものであってもよい。この重なりの順序も同図とは逆に左側の集約原稿画像４が最上（最前）位置となるようにしてもよい。また、全ての集約原稿画像４が重ならずともよく、部分的に重なるような集約パターンであってもよい。このように集約パターン（レイアウト）は任意なものとすることができる。
【０１２１】
（Ｄ）上記実施形態では、基準原稿画像生成部８３２により、基準原稿画像を、生成ボタン３８を集約パターン画像表示領域Ｐ内へドラッグするようにして生成しているが、これに限らず、例えば生成ボタン３８を単に押下（１度だけタッチ）することにより、集約パターン画像表示領域Ｐ内の所定位置に基準原稿画像を生成（表示）するようにしてもよい。なお、当該生成ボタン３８を押下した回数だけ基準原稿画像が生成される。この場合、集約パターン画像表示領域Ｐ内において基準原稿画像が何個生成されたか分かるように互いの位置をずらして表示することが好ましい。
【０１２２】
（Ｅ）上記実施形態では、回転設定部８３４による集約原稿画像４の回転移動を、回転ボタン２１（指示入力画像２１１）による入力指示により行っているが、この回転移動をドラッグ操作によって行うようにしてもよい。この場合、集約原稿画像４の一端側部（中央部でも構わない）をタッチした状態でそのまま所定方向に所定回転角だけ回転させるようにドラッグ（画面上を指等で摺接移動）する。このドラッグによる回転において大凡９０°、１８０°回転したときに、自動的に正確な９０°又は１８０°の位置に調整される（謂わば吸着される）ようになっていてもよい。
【０１２３】
（Ｆ）上記各確定ボタン２８、３５及び４５が無い構成、すなわち確定ボタンによる最終的な確定動作を行わない構成であってもよい。この場合、当該確定動作を行わずとも、そのまま、つまり集約設定が保持された状態で次の動作に移ることが可能である。
【０１２４】
（Ｇ）上記実施形態では、原稿画像の枚数は枚数入力ボタン６１等により謂わば手動で入力したが、当該手入力ではなく自動的に行う、すなわち原稿給送部２００での原稿読み込み時に該読み込み枚数を枚数設定部８６により自動的に計数する構成でもよい。
【０１２５】
（Ｈ）複数の用紙画像３に亘っての各集約原稿画像４の配置調整が配置調整部８３８により自動的に行われる構成でもよい。この場合、例えば各用紙画像３に対して一様に上記図６に示す配置調整が行われてもよいし、用紙画像３毎に異なる配置調整が行われてもよい。
【図面の簡単な説明】
【０１２６】
【図１】本発明に係る画像形成装置の一例である複写機の内部構成を概略的に示す断面図である。
【図２】図１に示す複写機の概略構成を示すブロック図である。
【図３】上記複写機の表示器に表示される集約設定画面の一例を示す模式図である。
【図４】上記複写機の表示器に表示される集約設定画面の一例を示す模式図である。
【図５】図２に示す制御部の主に集約設定に関するブロック図である。
【図６】集約原稿画像の配置調整の一例を示す模式図であり、（ａ）は一端を基準として配置調整する場合を、（ｂ）は中央を基準として配置調整する場合を示す図である。
【図７】集約原稿画像の拡大・縮小に関する変形例を説明する図であり、（ａ）は、集約原稿画像の縦又は横方向の拡大・縮小を示す図を、（ｂ）は、集約原稿画像の斜め方向の拡大・縮小を示す図である。
【図８】集約パターンの変形例を示す模式図である。
【図９】複数の集約原稿画像による複数の用紙画像に亘っての集約設定について説明するための集約設定画面の一例を示す模式図である。
【図１０】複数の集約原稿画像による複数の用紙画像に亘っての集約設定について説明するための制御部のブロック図である。
【図１１】複数の集約原稿画像による複数の用紙画像に亘っての集約設定における集約パターンの一例を示す模式図である。
【図１２】複数の集約原稿画像による複数の用紙画像に亘っての集約設定における集約パターンの一例を示す模式図である。
【図１３】複数の集約原稿画像による複数の用紙画像に亘っての集約設定における集約パターンの一例を示す模式図である。
【図１４】従来の集約パターンを示す模式図である。
【符号の説明】
【０１２７】
１  複写機（画像形成装置）
３  用紙画像（記録紙画像）
４、４ａ〜４ｃ  集約原稿画像
５  集約パターン画像
２０  集約設定ボタン群
２１１  指示入力画像
３０  原稿設定ボタン群
３６  ガイド画像
３８  生成ボタン
３８１  原稿搬入口画像
４０  用紙設定ボタン群
６１  枚数入力ボタン
６２  次ページボタン（切替え手段）
６３  前ページボタン（切替え手段）
６４  全体表示ボタン
６５  オート付番ボタン（付番機能）
６６  同パターンボタン
６７  最終確定ボタン
８１  表示制御部（切替え手段、表示手段）
８３  集約情報設定部（集約パターン決定手段）
８３１  原稿・用紙サイズ向き設定部（記録紙設定機能）
８３２  基準原稿画像生成部（ドラッグ処理機能）
８３３  移動設定部（ドラッグ処理機能）
８３４  回転設定部（ドラッグ処理機能）
８３５  拡大・縮小設定部（ドラッグ処理機能）
８３６  順番設定部（付番機能）
８３７  カラー設定部（カラー設定機能）
８３８  配置調整部（配置調整機能）
８３９  設定記憶部（記憶手段）
８４  給紙カセット設定部
８５  集約画像生成部（集約原稿画像生成手段）
８６  枚数設定部（枚数設定手段）
８７  エラー判定部
１００  画像形成部（印刷手段）
３００  原稿読取部（原稿画像取得手段）
５０３  表示器（表示手段）
Ｇ１、Ｇ２  集約設定画面（設定画面）
Ｒ、Ｌ、Ｕ  表示領域
Ｐ  集約パターン画像表示領域
【図１】
2008109613.tif 000003
【図２】
2008109613.tif 000004
【図３】
2008109613.tif 000005
【図４】
2008109613.tif 000006
【図５】
2008109613.tif 000007
【図６】
2008109613.tif 000008
【図７】
2008109613.tif 000009
【図８】
2008109613.tif 000010
【図９】
2008109613.tif 000011
【図１０】
2008109613.tif 000012
【図１１】
2008109613.tif 000013
【図１２】
2008109613.tif 000014
【図１３】
2008109613.tif 000015
【図１４】
2008109613.tif 000016